(57)【要約】【課題】腐敗、腐敗による悪臭や、カビ、虫食い等が発生するまでの期間をできるだけ遅らせて、生ゴミ、鮮度を保つ食品、衣服等の保存できる期間をできるだけ延長することができるようにする等、家屋内に設けられた複数の物品や部分の内部状態を種々の目的でコントロールすることができるようにした複合コントロール建築物を提供する。【解決手段】家屋１０内の適切な位置に設けられ、連結された物品内部の気圧を低減させるよう作動する真空ポンプ１２と、家屋１０内の他の適切な位置に設けられ、内部に目的物を収納し、内部が真空ポンプ１２と連結された複数の収納用物品１４，１６，１８と、真空ポンプ１２を用いて複数の収納用物品１４，１６，１８それぞれの内部状態を制御する制御手段３０とを備えたことを特徴とする。【選択図】図１
2008082013.tif 000002
【特許請求の範囲】
【請求項１】
家屋内の適切な位置に設けられ、連結された物品内部の気圧を低減させるよう作動する真空ポンプと、                  
家屋内の他の適切な位置に設けられ、内部に目的物を収納し、内部が前記真空ポンプと連結された複数の収納用物品と、
前記真空ポンプを用いて前記複数の収納用物品それぞれの内部状態を制御する制御手段と
を備えたことを特徴とする複合コントロール建築物。
【請求項２】
前記複数の収納用物品の内の１つが、生ゴミを収納するゴミ箱であることを特徴とする請求項１に記載の複合コントロール建築物。
【請求項３】
前記複数の収納用物品の内の１つが、鮮度を保つ食品を収納する食品貯蔵庫であることを特徴とする請求項１に記載の複合コントロール建築物。
【請求項４】
前記複数の収納用物品の内の１つが、衣服や服飾品等を収納するクローゼットであることを特徴とする請求項１に記載の複合コントロール建築物。
【請求項５】
前記複数の収納用物品それぞれの内部と前記真空ポンプの間の連結状態を切換える複数の切換バルブを設け、
前記制御手段が前記切換バルブを制御するようにしたことを特徴とする請求項１に記載の複合コントロール建築物。
【請求項６】
前記複数の収納用物品それぞれの内部の圧力を検出する複数の圧力センサを設け、
前記制御手段は、前記圧力センサからの信号を入力して制御動作するようにしたことを特徴とする請求項１に記載の複合コントロール建築物。
【請求項７】
前記複数の収納用物品それぞれの内部を外部と連通させることができる複数のリリースバルブを設け、
前記制御手段が前記リリースバルブを制御するようにしたことを特徴とする請求項１に記載の複合コントロール建築物。
【請求項８】
前記複数の収納用物品それぞれの内部を外部と連通させるか否かの指令を出力する複数の指令手段を設け、
前記制御手段は、前記指令手段からの信号を入力して制御動作するようにしたことを特徴とする請求項１に記載の複合コントロール建築物。
【請求項９】
前記複数の収納用物品それぞれの内部の圧力を計測して表示する複数の圧力表示計を設けたことを特徴とする請求項１に記載の複合コントロール建築物。
【請求項１０】
前記複数の収納用物品の内の１つが、家屋における所定の位置に設けられた断熱部又は低温部であることを特徴とする請求項１に記載の複合コントロール建築物。
【発明の詳細な説明】
【技術分野】
【０００１】
本発明は、家屋内の適切な位置にそれぞれ設けられた複数の物品や部分の内部状態を、種々の目的でコントロール（制御）することができるようにした複合コントロール建築物に関するものである。
【背景技術】
【０００２】
従来の建築物においては、例えば生ゴミはゴミ箱に入れられて、ゴミ収集車が来るゴミ収集日まで建築物内に保存されるようになっている。
また、新鮮な肉や野菜、果物等の食品は、それらが腐敗しないように冷蔵庫等の食品貯蔵庫（パントリー）内に収納して保存されるようになっている。
また、スーツやドレス等の衣服や服飾品等は、それらが虫に食われたり、カビが生えたりしないようにクローゼットの中に収納して保存されるようになっている。
【発明の開示】
【発明が解決しようとする課題】
【０００３】
しかしながら、生ゴミをゴミ箱に入れて、ゴミ収集車が来る日まで建築物内に保存しておく場合、例えば週に２日の生ゴミ収集日に、その生ゴミをゴミ集積所に出しに行くのを忘れたり、或は、ゴミ収集車がいつもの生ゴミ収集日に来られないことが予め決まっていることを知らなかった場合等においては、生ゴミの保存期間がいつもよりも長くなってしまう。このため、生ゴミが腐敗して悪臭を発生させるようになり、ゴミ箱を開ける度に建築物内にその悪臭が漏れ出して、生活環境が著しく悪化してしまうという問題があった。
【０００４】
また、冷蔵庫に新鮮な肉や野菜、果物等の食品を収納しておく場合、いくら冷蔵だからといってもきりも無くいつまでも貯蔵できるわけではなく、あまり貯蔵期間が長引くとやはり食品が腐敗したり、カビが生えたり、或は熟し過ぎたりして、食べることができなくなってしまうという問題があった。
【０００５】
また、クローゼットの中にスーツやドレス等の衣服や服飾品等を収納しておく場合、夏物や冬物を次の夏や冬の季節が来るまでの期間（８ヶ月乃至１０ヶ月位）、或はものによってはもっと長い期間クローゼットの中に収納しておくことになる。このため、たとえクローゼットの中に防虫剤等を入れたとしても、あまり長い期間収納しておくとスーツやドレス等が虫に食われたり、カビが生えたりすることを防止することができず、それらが着られなくなってしまうという問題があった。
【０００６】
そこで本発明は、上記問題点に鑑みて、例えば、腐敗、腐敗による悪臭や、カビ、虫食い等が発生するまでの期間をできるだけ遅らせて、生ゴミ、鮮度を保つ食品、衣服等の保存できる期間をできるだけ延長することができるようにする等、家屋内に設けられた複数の物品や部分の内部状態を種々の目的でコントロールすることができるようにした複合コントロール建築物を提供することを課題とするものである。
【課題を解決するための手段】
【０００７】
上記課題を解決するために、本発明の複合コントロール建築物は、
家屋内の適切な位置に設けられ、連結された物品内部の気圧を低減させるよう作動する真空ポンプと、                  
家屋内の他の適切な位置に設けられ、内部に目的物を収納し、内部が前記真空ポンプと連結された複数の収納用物品と、
前記真空ポンプを用いて前記複数の収納用物品それぞれの内部状態を制御する制御手段とを備えたことを特徴とするものである。
【０００８】
また、本発明の複合コントロール建築物は、前記複数の収納用物品の内の１つが、生ゴミを収納するゴミ箱であることを特徴とするものである。
【０００９】
また、本発明の複合コントロール建築物は、前記複数の収納用物品の内の１つが、鮮度を保つ食品を収納する食品貯蔵庫であることを特徴とするものである。
【００１０】
また、本発明の複合コントロール建築物は、前記複数の収納用物品の内の１つが、衣服や服飾品等を収納するクローゼットであることを特徴とするものである。
【００１１】
また、本発明の複合コントロール建築物は、
前記複数の収納用物品それぞれの内部と前記真空ポンプの間の連結状態を切換える複数の切換バルブを設け、
前記制御手段が前記切換バルブを制御するようにしたことを特徴とするものである。
【００１２】
また、本発明の複合コントロール建築物は、
前記複数の収納用物品それぞれの内部の圧力を検出する複数の圧力センサを設け、
前記制御手段は、前記圧力センサからの信号を入力して制御動作するようにしたことを特徴とするものである。
【００１３】
また、本発明の複合コントロール建築物は、
前記複数の収納用物品それぞれの内部を外部と連通させることができる複数のリリースバルブを設け、
前記制御手段が前記リリースバルブを制御するようにしたことを特徴とするものである。
【００１４】
また、本発明の複合コントロール建築物は、
前記複数の収納用物品それぞれの内部を外部と連通させるか否かの指令を出力する複数の指令手段を設け、
前記制御手段は、前記指令手段からの信号を入力して制御動作するようにしたことを特徴とするものである。
【００１５】
また、本発明の複合コントロール建築物は、前記複数の収納用物品それぞれの内部の圧力を計測して表示する複数の圧力表示計を設けたことを特徴とするものである。
【００１６】
また、本発明の複合コントロール建築物は、前記複数の収納用物品の内の１つが、家屋における所定の位置に設けられた断熱部又は低温部であることを特徴とするものである。
【発明の効果】
【００１７】
このような本発明の複合コントロール建築物によれば、
家屋内の適切な位置に設けられ、連結された物品内部の気圧を低減させるよう作動する真空ポンプと、                  
家屋内の他の適切な位置に設けられ、内部に目的物を収納し、内部が前記真空ポンプと連結された複数の収納用物品と、
前記真空ポンプを用いて前記複数の収納用物品それぞれの内部状態を制御する制御手段とを備えたことにより、
家屋内に設けられた複数の収納用物品の内部状態を種々の目的でコントロールすることができる。
【００１８】
また、本発明の複合コントロール建築物によれば、前記複数の収納用物品の内の１つが生ゴミを収納するゴミ箱であることにより、
ゴミ箱の内部の圧力を低減させると共に、酸素量も低減させることができるので、腐敗や腐敗による悪臭等が発生するまでの期間をできるだけ遅らせて、生ゴミの保存できる期間をできるだけ延長することができる。
【００１９】
また、本発明の複合コントロール建築物によれば、前記複数の収納用物品の内の１つが鮮度を保つ食品を収納する食品貯蔵庫であることにより、
食品貯蔵庫の内部の圧力を低減させると共に、酸素量も低減させることができるので、腐敗、腐敗による悪臭やカビ等が発生するまでの期間をできるだけ遅らせて、鮮度を保つ食品の保存できる期間をできるだけ延長することができる。
【００２０】
また、本発明の複合コントロール建築物によれば、前記複数の収納用物品の内の１つが衣服や服飾品等を収納するクローゼットであることにより、クローゼットの内部の圧力を低減させると共に、酸素量も低減させることができるので、カビや虫食い等が発生するまでの期間をできるだけ遅らせて、衣服等の保存できる期間をできるだけ延長することができる。
【００２１】
また、本発明の複合コントロール建築物によれば、
前記複数の収納用物品それぞれの内部と前記真空ポンプの間の連結状態を切換える複数の切換バルブを設け、
前記制御手段が前記切換バルブを制御するようにしたことにより、
前記複数の収納用物品それぞれの内部の圧力を調整することができる。
【００２２】
また、本発明の複合コントロール建築物によれば、
前記複数の収納用物品それぞれの内部の圧力を検出する複数の圧力センサを設け、
前記制御手段は、前記圧力センサからの信号を入力して制御動作するようにしたことにより、
前記複数の収納用物品それぞれの内部の圧力を適切に調整することができる。
【００２３】
また、本発明の複合コントロール建築物によれば、
前記複数の収納用物品それぞれの内部を外部と連通させることができる複数のリリースバルブを設け、
前記制御手段が前記リリースバルブを制御するようにしたことにより、
前記複数の収納用物品それぞれの内部の圧力を外部の圧力と同じ大気圧にして、それらの蓋やドアを容易に開けることが可能となるようにすることができる。
【００２４】
また、本発明の複合コントロール建築物によれば、
前記複数の収納用物品それぞれの内部を外部と連通させるか否かの指令を出力する複数の指令手段を設け、
前記制御手段は、前記指令手段からの信号を入力して制御動作するようにしたことにより、
ユーザーの意思により自由に、前記複数の収納用物品それぞれの内部を外部の圧力と同じ大気圧にして、それらの蓋やドアを容易に開けることが可能となるようにすることができる。
【００２５】
また、本発明の複合コントロール建築物によれば、前記複数の収納用物品それぞれの内部の圧力を計測して表示する複数の圧力表示計を設けたことにより、ユーザーは、前記複数の収納用物品それぞれの内部の圧力を一目で確認することができる。
【００２６】
また、本発明の複合コントロール建築物によれば、前記複数の収納用物品の内の１つが、家屋における所定の位置に設けられた断熱部又は低温部であることにより、真空ポンプによって前記断熱部の断熱効果を向上させたり、又は前記低温部の低温効果を向上させることができる。
【発明を実施するための最良の形態】
【００２７】
以下、本発明に係る複合コントロール建築物を実施するための最良の形態について、図面に基づいて具体的に説明する。
図１は、本発明の一実施の形態に係る複合コントロール建築物について説明するために参照する図である。
【００２８】
図１に示すように、本実施の形態に係る複合コントロール建築物は、家屋１０内の適切な位置に、すなわち、それがあっても邪魔にならないような位置に真空ポンプ１２が設けられている。そして、家屋１０内には、主に生ゴミを収納するゴミ箱１４、新鮮な肉や野菜、果物等の、鮮度を保つ食品を収納するパントリー１６（食品貯蔵庫）、及びスーツやドレス、その他の衣服や服飾品等を収納するクローゼット１８が、他の部屋等の適切な位置にそれぞれ設けられている。                
【００２９】
真空ポンプ１２は、ゴミ箱１４、パントリー１６、及びクローゼット１８それぞれの内部と配管を介して連結されており、真空ポンプ１２がそれらの内部の空気を吸引することにより、それらの内部の気圧を低減させることができると共に、その内部の酸素量を低減させることができるようになっている。
【００３０】
真空ポンプ１２とゴミ箱１４との間を連結する配管の途中には第１切換バルブ２１が、真空ポンプ１２とパントリー１６との間を連結する配管の途中には第２切換バルブ２２が、そして、真空ポンプ１２とクローゼット１８との間を連結する配管の途中には第３切換バルブ２３が設けられている。
【００３１】
これら第１，第２，第３切換バルブ２１，２２，２３のそれぞれは、これらが設けられている配管の中を、空気が通れるように連通させた状態と、空気が通れないように遮断した状態との間で、切換えることができるようになっている。そして、第１，第２，第３切換バルブ２１，２２，２３のそれぞれは、コントローラ３０（制御手段）に連結されて、その動作をコントローラ３０により制御されるようになっている。
【００３２】
ゴミ箱１４には第１スイッチ２６（指令手段）が、パントリー１６には第２スイッチ２７（指令手段）が、そして、クローゼット１８には第３スイッチ２８（指令手段）が設けられている。ゴミ箱１４の第１スイッチ２６は、ＯＮボタン２６ａとＯＦＦボタン２６ｂを有しており、第２スイッチ２７と第３スイッチ２８も同様に、ＯＮボタン２７ａ，２８ａとＯＦＦボタン２７ｂ，２８ｂを有している。
【００３３】
これらの第１，第２，第３スイッチ２６，２７，２８のそれぞれは、コントローラ３０に連結されており、ゴミ箱１４、パントリー１６、及びクローゼット１８それぞれの内部を外部と連通させるか否かの指令を、コントローラ３０に出力するようになっている。
【００３４】
これらの第１，第２，第３スイッチ２６，２７，２８のそれぞれが有するＯＮボタン２６ａ，２７ａ，２８ａは、ゴミ箱１４、パントリー１６、及びクローゼット１８それぞれの内部を外部と連通させるよう指令するときに操作するものであり、ＯＦＦボタン２６ｂ，２７ｂ，２８ｂは、上記それぞれの内部を外部と連通させないよう指令するときに操作するものである。
【００３５】
また、ゴミ箱１４には第１圧力表示計３２が、パントリー１６には第２圧力表示計３３が、そして、クローゼット１８には第３圧力表示計３４が設けられている。これらの第１，第２，第３圧力表示計３２，３３，３４はそれぞれ、ゴミ箱１４、パントリー１６、及びクローゼット１８それぞれの内部圧力を計測して視覚的に表示するようになっている。
【００３６】
また、ゴミ箱１４には第１リリースバルブ３６が、パントリー１６には第２リリースバルブ３７が、そして、クローゼット１８には第３リリースバルブ３８が設けられている。これらの第１，第２，第３リリースバルブ３６，３７，３８のそれぞれは、コントローラ３０に連結されている。
【００３７】
そして、これらの第１，第２，第３リリースバルブ３６，３７，３８のそれぞれは、コントローラ３０により制御されて、ゴミ箱１４、パントリー１６、及びクローゼット１８それぞれの内部を外部と連通させ、それらの内部を外部と同じ大気圧にすることができるよう動作する反面、上記内部を外部と遮断するよう動作するようになっている。
【００３８】
さらに、ゴミ箱１４には第１圧力センサ４１が、パントリー１６には第２圧力センサ４２が、そして、クローゼット１８には第３圧力センサ４３が設けられており、これらの第１，第２，第３圧力センサ４１，４２，４３はそれぞれ、コントローラ３０に連結されている。これらの第１，第２，第３圧力センサ４１，４２，４３はそれぞれ、ゴミ箱１４、パントリー１６、及びクローゼット１８それぞれの内部圧力を検出して、この検出した圧力に応じた信号をコントローラ３０に送るようになっている。
【００３９】
このような本発明の一実施の形態に係る、複合コントロール建築物の使用方法について説明する。
まず、電源を入れるとコントローラ３０が、真空ポンプ１２を作動させるように制御すると共に、第１，第２，第３切換バルブ２１，２２，２３のそれぞれが、それらの配管を連通させた状態となるように、それらを制御する。このため、ゴミ箱１４、パントリー１６、及びクローゼット１８それぞれの内部の空気が真空ポンプ１２により吸い出されて、それぞれの内部の気圧が徐々に低減し、これら内部の気圧が第１，第２，第３圧力表示計３２，３３，３４のそれぞれに表示される。
【００４０】
ゴミ箱１４、パントリー１６、及びクローゼット１８それぞれの内部の気圧を低減させる目標値としては、大気圧の１０分の１位が好ましいが、大気圧よりも小さい値であれば、大気圧に対してどのような比率の値であってもよい。
【００４１】
真空ポンプ１２を作動させることにより、ゴミ箱１４内部の気圧は、予め設定されている目標値まで降下するが、その内部の気圧が目標値を越えて所定値以上降下すると、そのことを第１圧力センサ４１が検出して、そのことを知らせる信号をコントローラ３０に送る。その信号を入力したコントローラ３０は、第１バルブ２１を制御して、その配管を遮断した状態に動作させる。
【００４２】
このことにより、ゴミ箱１４内部の空気が真空ポンプ１２により吸い出されなくなるので、今度はゴミ箱１４内部の気圧が徐々に上昇して、やがてはその目標値にまで戻り、さらにそれ以上に上昇していく。このようにゴミ箱１４内部の気圧が上昇して、目標値を越えて所定値以上上昇すると、またそのことを第１圧力センサ４１が検出して、そのことを知らせる信号をコントローラ３０に送る。
【００４３】
信号を入力したコントローラ３０は、再び第１切換バルブ２１を制御して、その配管を今度は連通させる状態に動作させることにより、再びゴミ箱１４内部の空気が真空ポンプ１２により吸い出されてその気圧を低減させる。
このような制御動作の繰り返しにより、ゴミ箱１４内部の気圧は目標値前後の値に保たれるようになっている。
【００４４】
パントリー１６及びクローゼット１８においても、第２，第３圧力センサ４２，４３からの信号に応じて、コントローラ３０が第２，第３切換バルブ２２，２３を制御し、ゴミ箱１４の場合と同様の制御動作の繰り返しにより、それらの内部の気圧が、やはりそれぞれの目標値前後の値に保たれるようになっている。
【００４５】
このようにして、ゴミ箱１４、パントリー１６、及びクローゼット１８それぞれの内部の気圧が、それぞれの目標値前後の値に保たれることにより、それら内部の気圧が必要以上に降下することを防止することができる。このため例えば、パントリー１６内の気圧が必要以上に降下することにより食品の水分が奪われたり、その品質を劣化させるような弊害の発生を防止したり、必要以上に電力が消費されるのを防止することができる。
【００４６】
すなわち、食品の水分が奪われると、その表面にしわが生じたりしてその外観や内部の品質を劣化させると共に、真空ポンプ１２が作動する時間が長い場合には大きな電力が消費されるからである。
【００４７】
一方、このようにして、ゴミ箱１４、パントリー１６、及びクローゼット１８それぞれの内部の気圧が、それぞれの目標値前後の負圧に保たれると、そのままではユーザーは、それらの蓋やドアを容易に開けることができない状態となる。
【００４８】
このため、例えばゴミ箱１４の蓋を開けてその中に新たな生ゴミを入れたいときは、ユーザーが第１スイッチ２６のＯＦＦボタン２６ｂを操作する。すると、第１スイッチ２６からのＯＦＦ信号を入力したコントローラ３０が、第１切換バルブ２１を制御して、その配管を遮断した状態に動作させると共に、第１リリースバルブ３６を制御して、ゴミ箱１４の内部を外部と連通させるよう動作させる。このことにより、ゴミ箱１４内部の気圧が瞬時に大気圧まで上昇して、その蓋を容易に開くことができるようにすることができる。
【００４９】
パントリー１６やクローゼット１８も、ユーザーが第２，第３スイッチ２７，２８のＯＦＦボタン２７ｂ，２８ｂを同様に操作し、コントローラ３０が、第２、第３切換バルブ２２、２３及び第２，第３リリースバルブ３７，３８を、ゴミ箱１４の場合と同様に制御動作することにより、それらの蓋やドアを容易に開くことができるようにすることができる。
【００５０】
次に、ゴミ箱１４の中に新たに生ゴミを入れたら、速やかにその蓋を閉じて、第１スイッチ２６のＯＮボタン２６ａを操作する。すると、この第１スイッチ２６からＯＮ信号を入力したコントローラ３０が、第１切換バルブ２１を制御して、その配管を連通させた状態に動作させると共に、第１リリースバルブ３６を制御して、ゴミ箱１４の内部と外部間を遮断するよう動作させる。このことにより、ゴミ箱１４内部の空気が真空ポンプ１２により吸い出されて、再びゴミ箱１４内部の気圧が低減されて、前述のようにその目標値前後の値に保たれる。
【００５１】
パントリー１６やクローゼット１８も、それらの蓋やドアを閉じてから、第２，第３スイッチ２７，２８のＯＮボタン２７ａ，２８ａを同様に操作し、コントローラ３０が、第２，第３切換バルブ２２，２３、及び第２，第３リリースバルブ３７，３８を、ゴミ箱１４の場合と同様に制御動作することにより、パントリー１６やクローゼット１８内部の気圧が低減されて、前述のようにそれぞれの目標値前後の値に保たれる。
【００５２】
このような本発明の一実施の形態に係る複合コントロール建築物によれば、真空ポンプ１２がゴミ箱１４内部の気圧を低減させることにより、酸素の量も低減させることができるため、酸素を体内に取り入れて活動し、生ゴミの蛋白質を栄養として成長する雑菌の増殖が低減するので、生ゴミが短期間で腐敗したり、その結果悪臭を発生させることを抑制することができる。このため、生ゴミの腐敗や悪臭の発生が激しくなるまでの期間をできるだけ遅らせて、生ゴミの保存できる期間をできるだけ延長することができる。
【００５３】
また、真空ポンプ１２がパントリー１６内部の気圧を低減させることにより、酸素の量も低減させることができるため、内部に収納された新鮮な肉や野菜、果物等の食品に付着した、酸素を体内に取り入れて活動し、成長する雑菌の増殖が低減すると共に、酸素により促進される食品の熟成期間を長引かせることができる。
【００５４】
このため、短期間で食品が腐敗したり、カビが生えたり、熟し過ぎることを抑制することができるので、食品が腐敗したり、カビが生えたり、熟し過ぎるまでの期間をできるだけ遅らせて、食品の保存できる期間をできるだけ延長することができる。
【００５５】
また、真空ポンプ１２がクローゼット１８内部の気圧を低減させることにより、酸素の量も低減させることができるため、その内部に収納されたスーツやドレス等の衣服や服飾品等に付着した、酸素を体内に取り入れて活動し、成長する虫や雑菌の増殖が低減するので、短期間で衣服や服飾品等が虫に食われたり、カビが生えたりすることを抑制することができる。このため、スーツやドレス等の衣服等が虫に食われたり、カビが生えたりするまでの期間をできるだけ遅らせて、衣服等の保存できる期間をできるだけ延長することができる。
【００５６】
したがって、本発明の複合コントロール建築物によれば、家屋内に設けられた複数の物品や部分の内部状態を、種々の目的でコントロールすることができるようになっている。
【００５７】
なお、上記実施の形態においては、真空ポンプ１２によりゴミ箱１４、パントリー１６、及びクローゼット１８それぞれの内部の気圧を低減させる場合について説明したが、これらのものに限定する必要は無く、その内部に目的物を収納できる収納用物品であれば、他のどのようなものであってもよい。
【００５８】
或いは、真空を用いて家屋１０の内部と外部との間を断熱することができる真空断熱部材（断熱部、図示せず）を設けた部分にも、配管を介して真空ポンプ１２を連結し、真空ポンプ１２によりそのような断熱部の断熱効果を向上させることもできる。このことにより、夏期や冬期における冷房や暖房の空調効果を向上させることもできる。
【００５９】
また、真空ポンプ１２によりパントリー１６内部の気圧を低減させると、パントリー１６内部の温度も低下させることができるので、電気を用いて内部の温度を低下させる電気冷蔵庫が必要無くなるだけでなく、もし電気冷蔵庫の内部を真空ポンプ１２と連結した場合には、真空ポンプ１２だけでは温度低下が不足する場合にのみ電気を使用するようにした、いわゆるハイブリッド方式にすることにより、電気冷蔵庫だけの場合に比べて毎月の電気の使用量を低減させることができる。
【００６０】
また、パントリー１６や冷蔵庫の他にも、家屋１０において内部の温度を低下させたい場所（低温部）があれば、そのような場所にも真空ポンプ１２を連結して、真空ポンプ１２によりその温度を低下させるようにしてもよい。このことにより、夏期における冷房効果や、その他の目的の低温効果を向上させることができる。
【００６１】
また、上記実施の形態においては、第１，第２，第３スイッチ２６，２７，２８のそれぞれを、ゴミ箱１４、パントリー１６、及びクローゼット１８のそれぞれに一体的に設けた場合について説明したが、このような場合に限らず、各スイッチをゴミ箱１４、パントリー１６、及びクローゼット１８のそれぞれから分離して、それぞれに配線により電気的に接続してもよく、或は、リモコン（リモートコントロール装置）等に他のスイッチと一緒に設けるようにしてもよい。
【図面の簡単な説明】
【００６２】
【図１】本発明の一実施の形態に係る複合コントロール建築物を示すブロック図である。
【符号の説明】
【００６３】
１０  家屋
１２  真空ポンプ
１４  ゴミ箱
１６  パントリー
１８  クローゼット
２１  第１切換バルブ
２２  第２切換バルブ
２３  第３切換バルブ
２６  第１スイッチ
２６ａ  ＯＮボタン
２６ｂ  ＯＦＦボタン
２７  第２スイッチ
２７ａ  ＯＮボタン
２７ｂ  ＯＦＦボタン
２８  第３スイッチ
２８ａ  ＯＮボタン
２８ｂ  ＯＦＦボタン
３０  コントローラ
３２  第１圧力表示計
３３  第２圧力表示計
３４  第３圧力表示計
３６  第１リリースバルブ
３７  第２リリースバルブ
３８  第３リリースバルブ
４１  第１圧力センサ
４２  第２圧力センサ
４３  第３圧力センサ
【図１】
2008082013.tif 000003